(57)【特許請求の範囲】
【請求項１】
導体平板間に誘電体線路を設けた非放射性誘電体線路であって、伝送モードとしてＬＳＥモードを用い、且つ、前記誘電体線路の側面に導体を配置することによって、前記誘電体線路を終端することを特徴とする非放射性誘電体線路。
【請求項２】
導体平板間に誘電体線路を設けた非放射性誘電体線路であって、伝送モードとしてＬＳＥモードを用い、且つ、前記誘電体線路の側面に導体を配置することによって、前記誘電体線路を終端することを特徴とし、かつ、前記導体平板にスロットを設けて、電磁波を入出力することを特徴とする非放射性誘電体線路。
【請求項３】
前記誘電体線路の誘電体がセラミックであることを特徴とする請求項１又は請求項２に記載の非放射性誘電体線路。
【請求項４】
導体平板間に誘電体線路を設けた非放射性誘電体線路を用いた共振器であって、伝送モードとしてＬＳＥモードを用い、且つ、前記誘電体線路の側面に導体を配置することによって、前記誘電体線路を終端させてなる共振器。
【請求項５】
請求項４記載の共振器を用いたフィルタ。
【請求項６】
請求項４記載の共振器を用いた発振器。
【請求項７】
請求項５記載のフィルタを用いたアンテナ共用器。
【請求項８】
請求項１から請求項３のいずれかに記載の非放射性誘電体線路、請求項４記載の共振器、請求項５記載のフィルタ、請求項６記載の発振器、及び請求項７記載のアンテナ共用器のうち、少なくともそのひとつ含む高周波回路。
【請求項９】
請求項８記載の高周波回路を用いた無線装置。
【請求項１０】
請求項１から請求項３のいずれかに記載の非放射性誘電体線路に対して、前記誘電体線路の側面に配置された導体の位置を調整することによって、前記誘電体線路の終端を調整することを特徴とする非放射性誘電体線路のチューニング方法。
【請求項１１】
請求項４記載の共振器において、前記誘電体線路の側面に配置された導体の位置を調整することによって、前記共振器の特性を調整することを特徴とする共振器のチューニング方法。
【請求項１２】
請求項５記載のフィルタにおいて、前記誘電体線路の側面に配置された導体の位置を調整することによって、前記フィルタの特性を調整することを特徴とするフィルタのチューニング方法。
【請求項１３】
請求項６記載の発振器において、前記誘電体線路の側面に配置された導体の位置を調整することによって、前記発振器の特性を調整することを特徴とする発振器のチューニング方法。
【請求項１４】
請求項７記載のアンテナ共用器において、前記誘電体線路の側面に配置された導体の位置を調整することによって、前記アンテナ共用器の特性を調整することを特徴とするアンテナ共用器のチューニング方法。
【請求項１５】
請求項８記載の高周波回路をチューニングする方法であって、前記誘電体線路の側面に配置された導体の位置を調整することにより、前記高周波回路の特性を調整することを特徴とする高周波回路のチューニング方法。
【請求項１６】
請求項９記載の無線装置をチューニングする方法であって、前記誘電体線路の側面に配置された導体の位置を調整することにより、前記無線装置の特性を調整することを特徴とする無線装置のチューニング方法。
【発明の詳細な説明】
【０００１】
【発明の属する技術分野】
本発明は、導体平板間に誘電体線路を設けた非放射性誘電体線路、それを用いた共振器及びフィルタ、並びにこれらのチューニング方法に関する。
【０００２】
【従来の技術】
非放射性誘電体線路（Nonradiative Dielectric Waveguide，以下、ＮＲＤガイドと称す）は、２枚の導体平板を平行配置し、導体平板間に存在する誘電媒質中に当該誘電媒質よりも大きい誘電率の誘電体ストリップを挿入して形成される。ここで、導体平板の間隔は電磁波の媒質内波長の半分以下である。電磁波の電界が導体平板に平行であるモードがよく使われる。
【０００３】
誘電体の材質としては、テフロン（デュポン社の「ポリテトラフルオロエチレン」の登録商標）、ポリスチレン等がよく用いられてきた。テフロン等は加工性が良い。しかし、誘電率が小さいため、線路や素子に用いた場合にこれらのサイズが大きくなりやすいという問題がある。サイズが大きすぎると、既存の基板回路との整合はとれなくなってしまう。ただし、位置精度は非常に緩やかになり、波長短縮は急激でなく、既存の基板回路と電磁波的に結合させ易い。
【０００４】
これに対し、誘電率が大きい材料としてセラミックがあるが、セラミックは従来より誘電体材料としてあまり検討されてこなかった。セラミックはテフロン等に比べて加工性が悪い。例えばフィルタを構成する際に、セラミックに加工精度を求めるのは量産の観点からも好ましくない。更にセラミックは、誘電率が大きいためサイズを小さくできるが、位置精度が非常に厳しくなるという課題も有している。すなわち、誘電体線路の位置決め、更にその後のチューニングが非常に難しくなる。また、セラミックは誘電率が大きいため波長短縮が急激で、既存の基板回路との結合が困難となりやすい。また、たとえ結合ができたとしても、良好な結合が実現される周波数帯域が非常に狭くなり、広帯域な高周波回路の実現は難しい。
【０００５】
そこで、ＮＲＤガイドの誘電体にセラミックを採用し、線路や素子のサイズを小さくすることができれば、ＮＲＤガイドが広く実用化される可能性が高まると考えられる。
【０００６】
しかし、このままでは、誘電体線路の加工、位置決め、更にその後のチューニングが非常に困難になるため、従来は、サイズの小さいＮＲＤガイドを実用化することができなかった。
【０００７】
【発明が解決しようとする課題】
上記のように、従来のＮＲＤガイドは、誘電体線路の加工、位置決め、更にその後のチューニング等の困難性から、セラミックを誘電体として用いることに相当の困難があったため、サイズを小さくできないという課題があった。
【０００８】
そこで、本発明の目的は、誘電体線路の加工、位置決め、更にその後のチューニング等の困難を改善することを目的とする。これによりセラミックを誘電体として用いたサイズの小さいＮＲＤガイド及びその応用素子を提供し、さらには、これらのチューニング方法をも提供することをも目的とする。
【０００９】
【課題を解決するための手段】
この課題を解決するために本発明は、導体平板間に誘電体線路を設けた非放射性誘電体線路であって、伝送モードとしてＬＳＥモードを用い、且つ、前記誘電体線路の側面に導体を配置することによって、前記誘電体線路を終端することを特徴とする非放射性誘電体線路である。
【００１０】
このように誘電体線路の側面に導体を配置することによって、モードを適当に選ぶことにより線路を遮断線路にすることができる。このためには、通常ＮＲＤガイドで使用される電界が上下の導体平板に平行であるモード（ＬＳＭモード）ではなく、電界が上下の導体平板に垂直であるモード（ＬＳＥモード）を用いるのが都合がよい。
【００１１】
このように簡単に線路を遮断線路にすることができることにより、線路の長さを簡単に自由に調整できる。すなわち、線路を実際に精度良く加工する必要はなく、線路の寸法をその側面の金属の有無、位置で制御することができる。
【００１２】
線路としては、単にロッドを形成するだけでよい。これは、線路の材質が加工性の悪いセラミックの場合に特に有効である。
【００１３】
また、側面に導体（一般的には金属）が配置されていることにより、線路の位置決めも楽になる。チューニングについても、側面の導体の位置を変化させることで簡単に実現できる。
【００１４】
また、従来のフィルタなどのように複雑な構成をとるものについては、線路を加工することなく、側面の導体の有無、位置を制御することで実現できるため、非常に楽に構成できる。
【００１５】
なお、導体は必ずしも線路の側面に接して配置される必要はない。（導体を線路の側面に接して配置したときは誘電体が装荷された導波管のカットオフと同じである。）ただし、線路から導体を十分離して配置すると遮断線路にすることができなくなる。
【００１６】
また、本発明による線路の終端は、線路の両端に用いても片端に用いてもよい。
【００１７】
【発明の実施の形態】
本発明の請求項１に記載の発明は、導体平板間に誘電体線路を設けた非放射性誘電体線路であって、伝送モードとしてＬＳＥモードを用い、且つ、前記誘電体線路の側面に導体を配置することによって、前記誘電体線路を終端することを特徴とする非放射性誘電体線路である。
【００１８】
このように誘電体線路の側面に導体を配置することによって、モードを適当に選ぶことにより線路を遮断線路にすることができる。このように簡単に線路を遮断線路にすることができることにより、線路の長さを簡単に自由に調整できる。すなわち、線路を実際に精度良く加工する必要はなく、線路の寸法をその側面の金属の有無、位置で制御することができる。線路としては、単にロッドを形成するだけでよい。これは、線路の材質が加工性の悪いセラミックの場合に特に有効である。また、側面に導体（一般的には金属）が配置されていることにより、線路の位置決めも楽になる。
【００１９】
本発明の請求項２に記載の発明は、導体平板間に誘電体線路を設けた非放射性誘電体線路であって、伝送モードとしてＬＳＥモードを用い、且つ、前記誘電体線路の側面に導体を配置することによって、前記誘電体線路を終端することを特徴とし、かつ、前記導体平板にスロットを設けて、電磁波を入出力することを特徴とする非放射性誘電体線路である。
【００２０】
スロットにより電磁波の入出力を行うことは一般的であるが、この場合、誘電体線路の端部とスロットの位置関係が重要であり、相当の精度を要する。しかし、前記誘電体線路の側面に導体を配置することによって、前記誘電体線路を終端することにより、線路を実際に精度良く加工する必要はなく、線路の寸法をその側面の金属の有無、位置で制御することができるため、上記構造を簡単に実現できる。線路としては、単にロッドを形成するだけでよい。これにより、電磁波の入出力を上下の導体平板に設けたスロットを介して行うことで、積層構造を容易にできる。
【００２１】
本発明の請求項３に記載の発明は、前記誘電体線路の誘電体がセラミックであることを特徴とする。
【００２２】
このように誘電体線路の誘電体をセラミックにすることで、誘電率を比較的自由に変えることが可能となり、素子設計に自由度を持たせることができる。更に誘電率の大きい材料を採用することにより、ＮＲＤガイド及びその応用素子のサイズを小さくすることができ、既存の回路との整合性をとることができる。また、ＮＲＤガイドの誘電体線路の誘電体にセラミックを用いると、位置決め、その後のチューニングに著しい困難が生じるが、このような構造とすることにより上記困難性を緩和できる。
【００２３】
本発明の請求項４に記載の発明は、導体平板間に誘電体線路を設けた非放射性誘電体線路を用いた共振器であって、伝送モードとしてＬＳＥモードを用い、且つ、前記誘電体線路の側面に導体を配置することによって、前記誘電体線路を終端させてなる共振器である。
【００２４】
このように誘電体線路の側面に導体を配置することによって、モードを適当に選ぶことにより線路を遮断線路にすることができる。このように簡単に線路を遮断線路にすることができることにより、線路の長さを簡単に自由に調整でき、所望の共振器を構成することができる。すなわち、線路を実際に精度良く加工する必要はなく、線路の寸法をその側面の金属の有無、位置で制御することができる。線路としては、単にロッドを形成するだけでよい。これは、線路の材質が加工性の悪いセラミックの場合に特に有効である。また、側面に導体（一般的には金属）が配置されていることにより、線路の位置決めも楽になる。
【００２５】
本発明の請求項５に記載の発明は、請求項４に記載の共振器を用いたフィルタである。
【００２６】
このような共振器を用いることにより、従来のフィルタなどのように複雑な構成をとるものについても、線路を加工することなく、側面の導体の有無、位置を制御することで実現できるため、非常に楽に構成できる。線路としては、単にロッドを形成するだけでよい。これは、線路の材質が加工性の悪いセラミックの場合に特に有効である。また、側面に導体（一般的には金属）が配置されていることにより、線路の位置決めも楽になる。
【００２７】
本発明の請求項６に記載の発明は、請求項４に記載の共振器を用いた発振器である。
【００２８】
このような共振器を用いることにより、上記遮断線路により、線路の長さを簡単に自由に調整でき、所望の発振器を構成することができる。すなわち、線路を実際に精度良く加工する必要はなく、線路の寸法をその側面の金属の有無、位置で制御することができる。線路としては、単にロッドを形成するだけでよい。これは、線路の材質が加工性の悪いセラミックの場合に特に有効である。また、側面に導体(一般的には金属)が配置されていることにより、線路の位置決めも楽になる。
【００２９】
共振器の手前の発振器には、ガン発振器などを用いることができる。
【００３０】
本発明の請求項７に記載の発明は、請求項５に記載のフィルタを用いたアンテナ共用器である。
【００３１】
このようなフィルタを用いることにより、線路を加工することなく、側面の導体の有無、位置を制御することで実現できるため、非常に楽に構成できる。線路としては、単にロッドを形成するだけでよい。これは、線路の材質が加工性の悪いセラミックの場合に特に有効である。また、側面に導体（一般的には金属）が配置されていることにより、線路の位置決めも楽になる。
【００３２】
本発明の請求項８に記載の発明は、請求項１から請求項３のいずれかに記載の非放射性誘電体線路、請求項４記載の共振器、請求項５記載のフィルタ、請求項６記載の発振器、及び請求項７記載のアンテナ共用器のうち、少なくともそのひとつ含む高周波回路である。
【００３３】
本発明は、請求項１からは請求項３のいずれかに記載のＮＲＤガイド、請求項４記載の共振器、請求項５記載のフィルタ、請求項６記載の発振器、又は請求項７記載のアンテナ共用器を用いることに特徴があり、上記の高周波回路のその他の部分については、従来開示されている技術をそのまま利用することができる。
【００３４】
上記のＮＲＤガイド、共振器、フィルタ、発振器又はアンテナ共用器を用いることにより、線路を加工することなく、側面の導体の有無、位置を制御することで実現できるため、誘電体線路の加工、位置決め、更にその後のチューニングが非常に楽になる。線路としては、単にロッドを形成するだけでよい。これにより、誘電体線路部分にセラミックを用いて上記の高周波回路のサイズを小さくすることができ、既存の回路との整合性をとることができる。
【００３５】
本発明の請求項９に記載の発明は、請求項８記載の高周波回路を用いた無線装置である。
【００３６】
本発明は、請求項８記載の高周波回路を用いることに特徴があり、上記の無線装置のその他の部分については、従来開示されている技術をそのまま利用することができる。
【００３７】
無線装置としては、例えば、超高速無線ＬＡＮ、レーダ、超広帯域マルチメディア情報伝送等が考えられる。
【００３８】
上記の高周波回路を用いることにより、線路を加工することなく、側面の導体の有無、位置を制御することで実現できるため、誘電体線路の加工、位置決め、更にその後のチューニングが非常に楽になる。線路としては、単にロッドを形成するだけでよい。これにより、誘電体線路部分にセラミックを用いて上記の無線装置のサイズを小さくすることができる。
【００３９】
本発明の請求項１０記載の発明は、請求項１から請求項３に記載の非放射性誘電体線路に対して、前記誘電体線路の側面に配置された導体の位置を調整することによって、前記誘電体線路の終端を調整することを特徴とする非放射性誘電体線路のチューニング方法である。
【００４０】
このような方法により、誘電体線路の側面の金属治具の位置調整により調整を行うことができ、小さい誘電体線路を直接位置合わせする必要がなくなる。このため、誘電体線路の位置合わせ、その後のチューニングを非常に楽にすることができる。特に、誘電体線路の端部とスロット位置の調整が非常に楽になる。
【００４１】
本発明の請求項１１に記載の発明は、請求項４記載の共振器において、前記誘電体線路の側面に配置された導体の位置を調整することによって、前記共振器の特性を調整することを特徴とする共振器のチューニング方法である。
【００４２】
このような方法により、誘電体線路の側面の金属治具の位置調整により調整を行うことができ、小さい誘電体線路を直接位置合わせする必要がなくなる。このため、誘電体線路の位置合わせ、その後のチューニングを非常に楽にすることができる。
【００４３】
本発明の請求項１２記載の発明は、請求項５記載のフィルタにおいて、前記誘電体線路の側面に配置された導体の位置を調整することによって、前記フィルタの特性を調整することを特徴とするフィルタのチューニング方法である。
【００４４】
このような方法により、誘電体線路の側面の金属治具の位置調整により調整を行うことができ、小さい誘電体線路を直接位置合わせする必要がなくなる。このため、誘電体線路の位置合わせ、その後のチューニングを非常に楽にすることができる。
【００４５】
本発明の請求項１３に記載の発明は、請求項６記載の発振器において、前記誘電体線路の側面に配置された導体の位置を調整することによって、前記発振器の特性を調整することを特徴とする発振器のチューニング方法である。
【００４６】
このような方法により、誘電体線路の側面の金属治具の位置調整により調整を行うことができ、小さい誘電体線路を直接位置合わせする必要がなくなる。このため、誘電体線路の位置合わせ、その後のチューニングを非常に楽にすることができる。
【００４７】
本発明の請求項１４記載の発明は、請求項７記載のアンテナ共用器において、前記誘電体線路の側面に配置された導体の位置を調整することによって、前記アンテナ共用器の特性を調整することを特徴とするアンテナ共用器のチューニング方法である。
【００４８】
このような方法により、誘電体線路の側面の金属を治具としてその位置を調整することによりアンテナ共用器の調整を行うことができ、小さい誘電体線路を直接位置合わせする必要がなくなる。このため、誘電体線路の位置合わせ、その後のチューニングを非常に楽にすることができる。
【００４９】
本発明の請求項１５に記載の発明は、請求項８記載の高周波回路をチューニングする方法であって、前記誘電体線路の側面に配置された導体の位置を調整することにより、前記高周波回路の特性を調整することを特徴とする高周波回路のチューニング方法である。
【００５０】
このような方法により、誘電体線路の側面の金属を治具としてその位置を調整することにより高周波回路の調整を行うことができ、小さい誘電体線路を直接位置合わせする必要がなくなる。このため、誘電体線路の位置合わせ、その後のチューニングを非常に楽にすることができる。
【００５１】
本発明の請求項１６に記載の発明は、請求項９記載の無線装置をチューニングする方法であって、前記誘電体線路の側面に配置された導体の位置を調整することにより、前記無線装置の特性を調整することを特徴とする無線装置のチューニング方法である。
【００５２】
このような方法により、誘電体線路の側面の金属を治具としてその位置を調整することにより無線装置の調整を行うことができ、小さい誘電体線路を直接位置合わせする必要がなくなる。このため、誘電体線路の位置合わせ、その後のチューニングを非常に楽にすることができる。
【００５３】
なお、以上において非放射性誘電体線路、共振器、フィルタ、発振器、アンテナ共用器、高周波回路及び無線装置の特性とは、前記側面に配置された導体の位置を調整することによって、調整できるものであれば特に限定されない。側面に配置された導体の位置を調整するところに特徴があるからである。
【００５４】
以下、本発明の実施の形態について、図面を参照しながら具体的に説明するが、本発明の実施の態様はこれに限定されるものではない。
【００５５】
（実施の形態１）
本実施の形態で説明するＮＲＤガイドは、導体平板間に誘電体線路を設けた非放射性誘電体線路であって、伝送モードとしてＬＳＥモードを用い、且つ、前記誘電体線路の側面に導体を配置することによって、前記誘電体線路を終端することを特徴とする。
【００５６】
また、導体平板間に誘電体線路を設けた非放射性誘電体線路であって、伝送モードとしてＬＳＥモードを用い、且つ、前記誘電体線路の側面に導体を配置することによって、前記誘電体線路を終端することを特徴とし、かつ、前記導体平板にスロットを設けて、電磁波を入出力することを特徴とする。
【００５７】
[ＮＲＤガイド]
図１は、本実施の形態における非放射性誘電体線路（ＮＲＤガイド）を模式的に示す。図１において、１は誘電体線路、２は誘電体線路１の側面に配置した金属治具としての導体、３と４はそれぞれ上下に配置された導体平板、５は上側の導体平板３に設けられたスロットであって、図１は誘電体線路と導体平板３の界面で分解して示した状態を示している。
【００５８】
図１に示すＮＲＤガイドは、導体平板３及び４の間に誘電体線路１を設けた非放射性誘電体線路であって、誘電体線路１の側面に導体２を配置することによって、誘電体線路１を終端するように構成したものである。また、本実施の形態においては、誘電体線路１の誘電体はセラミックを用いるものとするが、必ずしもこれに限定されものではない。
【００５９】
図１では、ＮＲＤガイドの誘電体線路の側面に金属を配置した構造となっているため、誘電体線路の位置決め等が非常に楽になる。
【００６０】
一般的に、誘電率が大きいセラミックを用いると、サイズを小さくすることができるが、誘電体線路の位置決め、更にその後のチューニングが非常に困難になる。特に、図１のようにスロットを設けて多層の回路と接続する場合には、スロットの位置と、誘電体線路の端部の位置精度が厳しく要求される。
【００６１】
このような場合にも、図１に示す構造では、誘電体線路１の端面の位置に関係なく、スロット５の位置と誘電体線路１の側面に配置された金属治具の位置関係を正確にすればよく、誘電体線路１の加工に気をつかう必要がなくなる。また、当該金属治具の位置を変化させることにより、誘電体線路１を直接動かすことなく、スロット位置との位置調整を行うことができる。従って、誘電体線路の加工、位置決め、更にその後のチューニングの操作性が飛躍的に向上する。
【００６２】
これにより、電磁波の入出力は上下の導体平板に設けたスロットを介して行うことが容易になり、積層構造を容易に実現できる。
【００６３】
ここで、一具体例を用いて、図１の実施の形態を説明する。誘電体線路１のセラミックは誘電率２１のものを用いた。周波数は約６０ＧHzとした。誘電体線路１の大きさは、ＮＲＤガイドがシングルモードで動作するように、誘電体線路の断面を0.4mm(幅)×1.2mm(高さ)とした。この場合、このＮＲＤガイドは約３８ＧHzから約７５ＧHzまでシングルモード（ＬＳＥ10モード）で動作する。なお、誘電体線路の誘電体材料は必ずしもセラミックに限定されるものではない。このＮＲＤガイドに対して、金属をその側面に接するように配置することで、遮断線路にすることができる。
【００６４】
このような構造にすることにより、スロットに対して、誘電体線路の端面を固定するのと同じ効果が得られるため、誘電体線路の加工、位置決め、更にその後のチューニングの操作性が飛躍的に向上する。また、ＮＲＤガイドとしての特性を十分に反映して、非常に低損失な線路を実現することができる。
【００６５】
更に、セラミックを用いることが可能になることで、ＮＲＤガイド及びそれを用いた応用素子のサイズを小さくすることができ、既存の回路との整合性を高めることができる。
【００６６】
[チューニング方法]
図１において、「調整」と書いた矢印に沿って、誘電体線路１の側面に配置された金属治具の位置を調整することで、ＮＤＲガイドのチューニングを行うことができる。この結果、小さい誘電体線路を直接位置合わせする必要がなくなり、誘電体線路の位置合わせ、その後のチューニングを非常に楽にすることができる。
【００６７】
（実施の形態２）
次に、本発明のＮＲＤガイドを用いた共振器について説明する。ＮＲＤガイドは、特にミリ波帯の高周波領域では、フィルタや共振器にすることでその効果が特に発揮される。ミリ波帯では、マイクロストリップ線路の損失は非常に大きくなるが、これに比べＮＲＤガイドは非常に低損失であるからである。例えば、バンドパスフィルタ特性の中で特に重要なものに、通過周波数帯における挿入損失と阻止周波数帯におけるカットオフ特性があるが、両特性はフィルタを構成する共振器の損失、すなわち無負荷Ｑ値により決定され、出来る限り高いＱ値の共振器を用いることが望ましい。
【００６８】
図２に本発明のＮＲＤガイドを用いた共振器の模式図を示す。
【００６９】
図２において、１は誘電体線路、２は誘電体線路１の側面に配置した金属治具としての導体、３と４はそれぞれ上下に配置された導体平板であって、誘電体線路と導体平板３の界面で分解して示した状態を示している。なお、本実施の形態においては、誘電体線路１の誘電体はセラミックを用いるものとするが、必ずしもこれに限定されものではない。
【００７０】
このように誘電体線路１の側面に導体２を配置することによって、モードを適当に選ぶことにより線路を遮断線路にすることができる。例えば、（実施の形態１）に記載の具体例などと同様である。このように簡単に線路を遮断線路にすることができることにより、線路の長さを簡単に自由に調整でき、所望の共振器を構成することができる。
【００７１】
すなわち、線路を実際に精度良く加工する必要はなく、線路の寸法をその側面の金属の有無、位置で制御することができる。線路としては、単にロッドを形成するだけでよい。これは、線路の材質が加工性の悪いセラミックの場合に特に有効である。また、側面に導体（一般的には金属）が配置されていることにより、線路の位置決めも楽になる。
【００７２】
また、上記の構造によりセラミックを用いることが可能となり、ＮＲＤガイド及びそれを用いた応用素子のサイズを小さくすることができ、既存の回路との整合性をとることができる。さらに、ＮＲＤガイドの低損失性を活かした損失の少ないフィルタ等を作ることができる。
【００７３】
なお、チューニング方法に関しては、（実施の形態１）と同様の方法を行うことにより、同様の作用・効果を有する。
【００７４】
（実施の形態３）
図３に本発明の共振器を用いたフィルタの模式図を示す。図４には従来のフィルタの模式図を示す。図３と図４に用いられる符号は、図１と同様のものを示す。
【００７５】
上記構造により、遮断線路を利用すること以外については、通常のフィルタの設計手法が利用できる。例えば、文献、米山,「非放射性誘電体線路を用いたミリ波集積回路」,信学論,J73-C-I,No.3(1990)等に開示されている。
【００７６】
このように簡単に線路を遮断線路にすることができることにより、所望の共振器を周期的に配置して所望のフィルタ特性を得ることができる。すなわち、線路を実際に精度良く加工する必要はなく、線路の寸法をその側面の金属の有無、位置で制御することができる。線路としては、単にロッドを形成するだけでよい。これは、線路の材質が加工性の悪いセラミックの場合に特に有効である。また、側面に導体（一般的には金属）が配置されていることにより、線路の位置決めも楽になる。
【００７７】
なお、チューニング方法に関しては、（実施の形態１）と同様の方法を行うことにより、同様の作用・効果を有する。
【００７８】
（実施の形態４）
図５に本発明の共振器を用いた発振器の模式図を示す。図５において、１１はガン発振器、１２は例えば図２に示されるような本発明による共振器である。
【００７９】
上記構造により、遮断線路を利用すること以外については、通常の発振器の設計手法が利用できる。
【００８０】
このように簡単に線路を遮断線路にすることができることにより、所望の共振器を配置して所望の発振器を得ることができる。すなわち、線路を実際に精度良く加工する必要はなく、線路の寸法をその側面の金属の有無、位置で制御することができる。線路としては、単にロッドを形成するだけでよい。これは、線路の材質が加工性の悪いセラミックの場合に特に有効である。また、側面に導体（一般的には金属）が配置されていることにより、線路の位置決めも楽になる。
【００８１】
ここで、共振器１２の手前の発振器には、図５に示すような例えばガン発振器などを用いることができる。
【００８２】
なお、チューニング方法に関しては、（実施の形態１）と同様の方法を行うことにより、同様の作用・効果を有する。
【００８３】
（実施の形態５）
図６に本発明のフィルタを用いたアンテナ共用器の模式図を示す。図６において、１３、１４はそれぞれ送信側、受信側のアンテナ、１５、１６は例えば図３に示されるような本発明によるフィルタ（それぞれ、送信側、受信側）、１７はＴ分岐である。
【００８４】
上記構造により、遮断線路を利用すること以外については、通常のアンテナ共用器の設計手法が利用できる。
【００８５】
このように簡単に線路を遮断線路にすることができることにより、所望のフィルタを配置して所望のアンテナ共用器を得ることができる。すなわち、線路を実際に精度良く加工する必要はなく、線路の寸法をその側面の金属の有無、位置で制御することができる。線路としては、単にロッドを形成するだけでよい。これは、線路の材質が加工性の悪いセラミックの場合に特に有効である。また、側面に導体（一般的には金属）が配置されていることにより、線路の位置決めも楽になる。
【００８６】
ここで、Ｔ分岐１７には、例えばサーキュレータなどを用いることができる。
【００８７】
なお、チューニング方法に関しては、（実施の形態１）と同様の方法を行うことにより、同様の作用・効果を有する。
【００８８】
（実施の形態６）
高周波回路、無線装置は、上記構造により、遮断線路を利用すること以外については、従来技術をそのまま利用できる。例えば、文献、米山,「非放射性誘電体線路を用いたミリ波集積回路」,信学論,J73-C-I,No.3(1990)等に開示されている。
【００８９】
また、これらのチューニング方法に関しては、（実施の形態１）と同様の方法を行うことにより、同様の作用・効果を有する。
【００９０】
【発明の効果】
以上のように本発明によれば、導体平板間に誘電体線路を設けた非放射性誘電体線路であって、伝送モードとしてＬＳＥモードを用い、且つ、前記誘電体線路の側面に導体を配置することによって、前記誘電体線路を終端することを特徴とすることで、誘電体線路の加工、位置決め、更にその後のチューニングの操作性を飛躍的に向上させることができ、これを応用した種々の素子を実現できるとともに、この技術により誘電体線路にセラミックを利用することが可能となり、ＮＲＤガイド及びその応用素子のサイズを小さくすることができるという有利な効果が得られる。
【図面の簡単な説明】
【図１】本発明の一実施の形態によるＮＲＤガイドを示す模式図
【図２】本発明の一実施の形態によるＮＲＤガイドを用いた共振器を示す模式図
【図３】本発明の一実施の形態による共振器を用いたフィルタを示す模式図
【図４】従来のフィルタを示す模式図
【図５】本発明の一実施の形態による共振器を用いた発振器を示す模式図
【図６】本発明の一実施の形態によるフィルタを用いたアンテナ共用器を示す模式図
【符号の説明】
１  誘電体線路
２  導体(側面)
３  導体平板(上)
４  導体平板(下)
５  スロット
１１  ガン発振器
１２  本発明の共振器
１３  アンテナ(送信側)
１４  アンテナ(受信側)
１５  フィルタ(送信側)
１６  フィルタ(受信側)
１７  Ｔ分岐
【図１】
0003755461.tif 000002
【図２】
0003755461.tif 000003
【図３】
0003755461.tif 000004
【図４】
0003755461.tif 000005
【図５】
0003755461.tif 000006
【図６】
0003755461.tif 000007